【手続補正書】
【提出日】平成19年3月12日(2007.3.12)
【手続補正１】
【補正対象書類名】特許請求の範囲
【補正対象項目名】全文
【補正方法】変更
【補正の内容】
【特許請求の範囲】
【請求項１】
室内に設置された室内ユニットと、室外に設置された室外ユニットとを有し、冷媒として可燃性冷媒を使用した空気調和機において、
前記室内ユニット内に設けた室内冷媒検知手段と、
漏洩監視制御手段とを有し、
この漏洩監視制御手段では、前記室内ユニットに備えた室内ファンを作動させることにより前記室内の空気を前記室内ユニット内に吸引させて、前記室内冷媒検知手段による漏洩可燃性冷媒の検知を開始することを特徴とする空気調和機。
【請求項２】
請求項１に記載の空気調和機において、
前記室内の空気を前記室外に排出する室内排気ファンを有し、
前記漏洩監視制御手段では、前記室内冷媒検知手段が漏洩可燃性冷媒を検知したと判断したときに前記室内排気ファンを作動させて漏洩可燃性冷媒を前記室内の空気とともに前記室外に排出させることを特徴とする空気調和機。
【請求項３】
室内に設置された室内ユニットと、室外に設置された室外ユニットとを有し、冷媒として空気よりも重い可燃性冷媒を使用した空気調和機において、
前記室内の空気を室外に排出する室内排気ファンと、
前記室内排気ファンの吸い込み側に接続されて下方に延び、下端の吸い込み口が前記室内の床面付近に位置する吸い込みダクトとを有することを特徴とする空気調和機。
【請求項４】
請求項３に記載の空気調和機において、
前記吸い込みダクトの下端部に設けた室内冷媒検知手段と、
漏洩監視制御手段とを有し、
前記漏洩監視制御手段では、前記室内排気ファンを作動させることにより前記室内の空気を前記吸い込みダクトの下端の吸い込み口から吸引させて、前記室内冷媒検知手段による漏洩可燃性冷媒の検知を開始することを特徴とする空気調和機。
【請求項５】
請求項１，２又は４に記載の空気調和機において、
前記漏洩監視制御手段では、前記室内冷媒検知手段が漏洩可燃性冷媒を検知していないと判断したときに前記室外ユニットに備えた冷媒圧縮機を起動させ、前記室内冷媒検知手段が漏洩可燃性冷媒を検知したと判断したときには前記冷媒圧縮機の運転を禁止することを特徴とする空気調和機。
【請求項６】
請求項１，２，４又は５に記載の空気調和機において、
冷媒循環系統内の可燃性冷媒を前記室外に放出する冷媒放出手段を有し、
前記漏洩監視制御手段では、前記室内冷媒検知手段が漏洩可燃性冷媒を検知したと判断したときに前記冷媒放出手段によって前記冷媒循環系統内の可燃性冷媒を前記室外に放出させることを特徴とする空気調和機。
【請求項７】
請求項５又は６に記載の空気調和機において、
前記室外ユニット内に設けた室外冷媒検知手段を有し、
前記漏洩監視制御手段では、前記室内冷媒検知手段による漏洩可燃性冷媒の検知を開始するとともに前記室外冷媒検知手段による漏洩可燃性冷媒の検知も開始して、前記室内冷媒検知手段及び前記室外冷媒検知手段が漏洩可燃性冷媒を検知していないと判断したときに前記冷媒圧縮機を起動させ、前記室内冷媒検知手段又は前記室外冷媒検知手段が漏洩可燃性冷媒を検知したと判断したときには前記冷媒圧縮機の運転を禁止すること、又は、前記室内冷媒検知手段又は前記室外冷媒検知手段が漏洩可燃性冷媒を検知した判断したときに前記冷媒放出手段によって前記冷媒循環系統内の可燃性冷媒を前記室外に放出させることを特徴とする空気調和機。
【請求項８】
室内に設置された室内ユニットと、室外に設置された室外ユニットとを有し、冷媒として可燃性冷媒を使用した空気調和機において、
前記室外ユニットの電装品を、放熱フィンを備えた密閉電装品箱に収容したことを特徴とする空気調和機。
【請求項９】
室内に設置された室内ユニットと、室外に設置された室外ユニットとを有し、冷媒として空気よりも重い可燃性冷媒を使用した空気調和機において、
前記室外ユニットの電装品を収容する電装品箱を、前記室外ユニット内の上部に配置したことを特徴とする空気調和機。
【請求項１０】
室内に設置された室内ユニットと、室外に設置された室外ユニットとを有し、冷媒として可燃性冷媒を使用した空気調和機において、
前記室外ユニットの電装品を収容する電装品箱を、その他の機器を収容する第１ケースとは別の第２ケースに収容することにより、前記第１ケース内を流れる空気の流れと前記第２ケース内を流れる空気の流れとを分離したことを特徴とする空気調和機。
【請求項１１】
請求項１０に記載の空気調和機において、
前記電装品箱よりも下流側の位置で且つ前記第１ケースに収容された室外熱交換器用の室外ファンよりも上流側の位置に、前記第１ケース内と前記第２ケース内とを連通する空気通路を設けたことを特徴とする空気調和機。
【請求項１２】
請求項１１に記載の空気調和機において、
前記第２ケースを前記第１ケースの上に配置したことを特徴とする空気調和機。
【請求項１３】
請求項８，９，１０，１１又は１２に記載の空気調和機において、
前記室内ユニットの室外ファンのモータを、放熱フィンを備えた密閉ファンモータとしたことを特徴とする空気調和機。
【請求項１４】
請求項８，９，１０，１１，１２又は１３に記載の空気調和機において、
前記室外ユニットの室外ファンを室外熱交換器の上流側に配置したことを特徴とする空気調和機。
【請求項１５】
請求項１，２，３，４，５，６又は７に記載の空気調和機において、
前記室外ユニットの電装品を、放熱フィンを備えた密閉電装品箱に収容したことを特徴とする空気調和機。
【請求項１６】
請求項１，２，３，４，５，６又は７に記載の空気調和機において、
前記室外ユニットの電装品を収容する電装品箱を、前記室外ユニット内の上部に配置したことを特徴とする空気調和機。
【請求項１７】
請求項１，２，３，４，５，６又は７に記載の空気調和機において、
前記室内ユニットの電装品を収容する電装品箱を、その他の機器を収容する第１ケースとは別の第２ケースに収容することにより、前記第１ケース内を流れる空気の流れと前記第２ケース内を流れる空気の流れとを分離したことを特徴とする空気調和機。
【請求項１８】
請求項１７に記載の空気調和機において、
前記電装品箱よりも下流側の位置で且つ前記第１ケースに収容された室外熱交換器用の室外ファンよりも上流側の位置に、前記第１ケース内と前記第２ケース内とを連通する空気通路を設けたことを特徴とする空気調和機。
【請求項１９】
請求項１８に記載の空気調和機において、
前記第２ケースを前記第１ケースの上に配置したことを特徴とする空気調和機。
【請求項２０】
請求項１５，１６，１７，１８又は１９に記載の空気調和機において、
前記室内ユニットの室外ファンのモータを、放熱フィンを備えた密閉ファンモータとしたことを特徴とする空気調和機。
【請求項２１】
請求項１５，１６，１７，１８，１９又は２０に記載の空気調和機において、
前記室外ユニットの室外ファンを室外熱交換器の上流側に配置したことを特徴とする空気調和機。
【手続補正２】
【補正対象書類名】明細書
【補正対象項目名】０００８
【補正方法】変更
【補正の内容】
【０００８】
上記課題を解決する第１発明の空気調和機は、室内に設置された室内ユニットと、室外に設置された室外ユニットとを有し、冷媒として可燃性冷媒を使用した空気調和機において、前記室内ユニット内に設けた室内冷媒検知手段と、漏洩監視制御手段とを有し、この漏洩監視制御手段では、前記室内ユニットに備えた室内ファンを作動させることにより前記室内の空気を前記室内ユニット内に吸引させて、前記室内冷媒検知手段による漏洩可燃性冷媒の検知を開始することを特徴とする。
【手続補正３】
【補正対象書類名】明細書
【補正対象項目名】００２９
【補正方法】変更
【補正の内容】
【００２９】
第１発明の空気調和機によれば、室内ユニット内に設けた室内冷媒検知手段と、漏洩監視制御手段とを有し、この漏洩監視制御手段では、室内ユニットに備えた室内ファンを作動させることにより室内の空気を室内ユニット内に吸引させて、室内冷媒検知手段による漏洩可燃性冷媒の検知を開始することを特徴とするため、漏洩した可燃性冷媒を確実に検知することができる。つまり、室内ユニットから漏洩した可燃性冷媒が室内（室内ユニット外）に漏れ出していても、室内ファンを作動させて室内の空気を室内ユニット内に吸引させることにより、この空気とともに当該漏洩可燃性冷媒も室内ユニット内に吸引されるため、確実に当該漏洩可燃性冷媒を室内ユニット内に設けた室内冷媒検知手段によって検知することができる。この場合、漏洩した可燃性冷媒が空気よりも重くて室内の下部に停滞していたとしても、この漏洩可燃性冷媒もやはり室内ファンにより空気とともに室内ユニット内に吸引することができるため、室内ユニット内の室内冷媒検知手段によって確実に検知することができる。
【手続補正４】
【補正対象書類名】明細書
【補正対象項目名】００７２
【補正方法】変更
【補正の内容】
【００７２】
以上のように、本実施の形態例１の空気調和機によれば、室内ユニット１内に設けた室内ガス検知器１３と、漏洩監視制御回路２６とを有し、この漏洩監視制御回路２６では、室内ユニット１に備えた室内ファン８を作動させることにより室内４の空気を室内ユニット１内に吸引させて、室内ガス検知器１３による漏洩可燃性冷媒の検知を開始するため、漏洩した可燃性冷媒を確実に検知することができる。つまり、室内ユニット１から漏洩した可燃性冷媒が室内４（室内ユニット１外）に漏れ出して室内４の下部に停滞していても、室内ファン８を作動させて室内４の空気を室内ユニット１内に吸引させることにより、この空気とともに当該漏洩可燃性冷媒も室内ユニット１内に吸引されるため、確実に当該漏洩可燃性冷媒を室内ユニット１内に設けた室内ガス検知器１３によって検知することができる。